(57)【要約】      （修正有）【課題】暗所で作業をする場合に作業ポイントを適切に照らすことができる帽子を提供する。【解決手段】帽子１０を、着用者の頭部を覆うクラウン２０と、少なくともクラウン２０の前部から延設されるつば４０と、つば４０に取り付けられるＬＥＤライト６０と、を備える。ＬＥＤライト６０は、取付部材５０を介してつば４０に取り付けられ、取付部材５０は、つば４０に係着される保持部と、ＬＥＤライト６０が配設され保持部に対して回動可能に軸支される回動部と、を有する構成とする。【選択図】図１
0003199657.tif 000002
【実用新案登録請求の範囲】
【請求項１】
着用者の頭部を覆うクラウンと、少なくとも前記クラウンの前部から延設されるつばと、前記つばに取り付けられるＬＥＤライトと、を備える帽子であって、
前記ＬＥＤライトが、前記つばに対して、回動可能に取り付けられていることを特徴とする帽子。
【請求項２】
前記ＬＥＤライトは、取付部材を介して前記つばに取り付けられ、
前記取付部材は、前記つばに係着される保持部と、前記ＬＥＤライトが配設され前記保持部に対して回動可能に軸支される回動部と、を有していることを特徴とする請求項１記載の帽子。
【請求項３】
前記着用者が装着した状態における前側からみて、
前記つばが、上側に膨らむ円弧状となるように形成され、
前記取付部材が、前記つばに対応する形状に形成されていることを特徴とする請求項２記載の帽子。
【請求項４】
前記取付部材は、前記回動部が前記保持部に対して所定の傾斜角度となるように保持する角度保持手段を有していることを特徴とする請求項２又は３記載の帽子。
【請求項５】
前記保持部には、前記回動部が前記保持部に対して上側に回動することを防止するストッパが配設されていることを特徴とする請求項２、３又は４記載の帽子。
【請求項６】
前記クラウンの外表面の領域が、第一表面部と、第二表面部とに区画され、
前記第一表面部と、前記第二表面部との境界部分には、反転部材が延設され、
前記反転部材は、前記第一表面部及び前記第二表面部に対応する形状とされるとともに、表面と裏面を有して前記第一表面部又は前記第二表面部を略全部を、反転させることでそれぞれ覆い可能に形成され、前記表面は前記第一表面部と連設する第一面部とされ、前記裏面は前記第二表面部と連設する第二面部とされていることを特徴とする請求項１、２、３、４又は５記載の帽子。
【考案の詳細な説明】
【技術分野】
【０００１】
本考案は、ＬＥＤライトが取り付けられる帽子に関する。
【背景技術】
【０００２】
従来のＬＥＤライト付きの帽子として、特許文献１に記載されるものがある。これによれば、頭部を覆うクラウンから延設されるひさしに、ＬＥＤライトが埋設され、外観上の体裁見映えが良く構成されていた。
【先行技術文献】
【特許文献】
【０００３】
【特許文献１】登録実用新案第３１５９８５５号公報
【考案の概要】
【考案が解決しようとする課題】
【０００４】
しかし、上記ＬＥＤライト付きの帽子では、ＬＥＤライトが装着された状態において、前方に照射するようにひさしに固定されているので、夜間等に自己の存在を知らせる場合には効果的であるが、暗所で作業をする場合に作業ポイントを適切に照らすには、頭を動かさなければならないので、作業性が落ちるという問題があった。
【０００５】
本考案は、上述の課題を解決するものであり、暗所で作業をする場合に作業ポイントを適切に照らすことができる帽子を提供することを目的とする。
【課題を解決するための手段】
【０００６】
請求項１記載の考案は、着用者の頭部を覆うクラウンと、少なくともクラウンの前部から延設されるつばと、つばに取り付けられるＬＥＤライトと、を備える帽子であって、ＬＥＤライトが、つばに対して、回動可能に取り付けられている。
【０００７】
これによれば、ＬＥＤライトを回動させることで、必要以上に頭を動かすことなく、暗所で作業をする場合に作業ポイントを適切に照らすことができる。
【０００８】
また、ＬＥＤライトは、取付部材を介してつばに取り付けられ、取付部材は、つばに係着される保持部と、ＬＥＤライトが配設され保持部に対して回動可能に軸支される回動部と、を有している。
【０００９】
これによれば、つばへの取付部分と回動部分を分けることで、つばに直接ＬＥＤライトを取り付ける場合に比べて、取り付け作業性、ＬＥＤライトの回動性を向上させることができる。
【００１０】
また、着用者が装着した状態における前側からみて、つばが、上側に膨らむ円弧状となるように形成され、取付部材が、つばに対応する形状に形成される構成とすれば、つば部分の突出部分を抑制して、意匠性に優れる帽子とすることができる。
【００１１】
また、取付部材を、回動部が保持部に対して所定の傾斜角度となるように保持する角度保持手段を有する構成とすれば、作業時に回動部が回動して、ＬＥＤライトの照射が作業ポイントからずれてしまうことを防止することができる。
【００１２】
また、保持部に、回動部が保持部に対して上側に回動することを防止するストッパが配設すれば、作業時にＬＥＤライトを有する回動部が、つばに遮られて着用者が視認しにくく作業ポイントになりづらい上側に回動することを防止する。
【００１３】
また、クラウンの外表面の領域が、第一表面部と、第二表面部とに区画され、第一表面部と、第二表面部との境界部分には、反転部材が延設され、反転部材は、第一表面部及び第二表面部に対応する形状とされるとともに、表面と裏面を有して第一表面部又は第二表面部を略全部を、反転することで覆い可能に形成され、表面は第一表面部と連設する第一面部とされ、裏面は第二表面部と連設する第二面部とされている。
【００１４】
これによれば、反転部材で、第一表面部、第二表面部のいずれかを選択して覆うことで、リバーシブル仕様とすることができる。
【図面の簡単な説明】
【００１５】
【図１】図１は、本考案の帽子の一実施形態を示す斜視図である。
【図２】図１のＩＩ−ＩＩ線矢視断面図である。
【図３】同実施形態の底面図である。
【図４】同実施形態の平面図である。
【図５】取付部材の斜視図である。
【図６】取付部材の保持部の（ａ）は斜視図、（ｂ）は側面図である。
【図７】取付部材の回動部の（ａ）は斜視図、（ｂ）は側面図である。
【図８】取付部材の分解平面図である。
【図９】取付部材のつばへの取り付け状態を示す平面図である。
【図１０】回動部の動作説明図である。
【図１１】反転部材を夏季仕様に反転させた（ａ）は平面図、（ｂ）はＸＩｂ−ＸＩｂ線矢視断面図である。
【図１２】反転部材を冬季仕様に反転させた（ａ）は平面図、（ｂ）はＸＩＩｂ−ＸＩＩｂ線矢視断面図である。
【図１３】同実施形態の（ａ）は電気回路図、（ｂ）は充電用機器を示す斜視図である。
【考案を実施するための形態】
【００１６】
以下、本考案の一実施形態を図面に基づいて説明する。以下の説明において、図１に付される矢印の、Ｆを前、Ｂを後ろ、Ｒを右、Ｌを左、Ｕを上、Ｄを下、方向とする。
【００１７】
帽子１０は、図１に示すように概略的には、着用者の頭部を覆うクラウン２０と、クラウン２０の前部から前側に延設されるつば４０と、つば４０に取り付けられるＬＥＤライト６０と、を備え、ＬＥＤライト６０が、つば４０に対して、回動可能に取り付けられている。
【００１８】
クラウン２０は、図１、４、１１、１２等に示すように、略同一形状に形成される、布製の布レンゲ２１（区別するときは、布レンゲ２１１、布レンゲ２１２、布レンゲ２１３、布レンゲ２１４とする）と、合成樹脂製のメッシュレンゲ２２（区別するときは、メッシュレンゲ２２１、メッシュレンゲ２２２とする）と、で構成されている。  本実施形態では、前側四枚は布レンゲ２１で構成され、後側の二枚はメッシュレンゲ２２で構成されている。
【００１９】
図１、２に示すように、メッシュレンゲ２２１、２２２の連設部分を中心として切欠き部２０ａが設けられ、切欠き部２０ａのクラウン２０の周方向における端部から、それぞれ頭周りの長さを調整可能とする帯状の調整部材２３、２４が延設されている。
【００２０】
調整部材２３の前面、調整部材２４の後面には、図示しない面ファスナがそれぞれ配設され、調整部材２３と調整部材２４とが着脱可能に形成されている。
【００２１】
調整部材２３は、図２の丸内に示すように、外部材２３ａと内部材２３ｂとで、自由端側が閉塞する筒状に構成され、外部材２３ａと内部材２３ｂとの間に形成される空間部分に、フレキシブル基板６６に装着されたＬＥＤライト６３が配置されている。
【００２２】
調整部材２３の外部材２３ａは、一部が透光性を有する部材で形成され、ＬＥＤライト６３から発する光が、文字、模様として視認可能とされている。
【００２３】
クラウン２０の下端部の、切り欠き部２０ａを除いた内周縁部には、図２、３に示すように、着用者の頭部と接触する帯状のビン皮２５が配設されている。ビン皮２５とクラウン２０との間に、ＬＥＤライト６３に接続される電線６５が配置可能とされている。
【００２４】
クラウン２０の外表面の領域は、図１１、１２に示すように、略同一形状に形成された、第一表面部２６と、第二表面部２７とに区画されている。本実施形態では、略中空半球状に形成されるクラウン２０の表面を、上側からみて、布レンゲ２１、メッシュレンゲ２２で、略等角度で六等分された領域のうち、図１２（ａ）に示すように、布レンゲ２１１、２１２、２１３で構成される領域が、第一表面部２６とされ、図１１（ａ）に示すように、メッシュレンゲ２２１、２２２、布レンゲ２１４で構成される領域が、第二表面部２７とされている。
【００２５】
反転部材２８は、布製で、第一表面部２６及び第二表面部２７に対応する形状に形成されている。
【００２６】
反転部材２８は、図１１、１２に示すように、反転させることで、第一表面部２６又は第二表面部２７を略全部を、それぞれ覆い可能に形成されている。
【００２７】
反転部材２８は、図１１の状態においては、一方の面（表面）が第一表面部２６と連設する第一面部２９とされ、図１２の状態においては、他方の面（裏面）が第二表面部２７と連設する第二面部３０とされている。
【００２８】
本実施形態では、反転部材２８は、図１２（ｂ）丸内に示すように、一方の面を構成する表布２８ａと、他方の面面を構成する裏布２８ｂとを重ね合わせて形成され、上端側で、第一表面部２６と、第二表面部２７との境界部分Ｘにおいて縫合されるとともに延設されている。
【００２９】
第一表面部２６と第一面部２９とは、同じ色彩とされ、第二表面部２７と第二面部３０とは、第一表面部２６及び第一面部２９と異なる色彩で構成されている。
【００３０】
つば４０は図１〜４に示すように、クラウン２０の前側の下端部から前方に張り出すとともに、前側（特許請求の範囲における着用者が装着した状態における前側）からみて、上側に膨らむ円弧状となるように形成されている。
【００３１】
つば４０は、芯材４１と、表布４２と、裏布４３と、を有している。
【００３２】
芯材４１の前端中央部には、図９に示すように、後端側に切欠かれた、略矩形状の切り欠き部４２ａが形成されている。切り欠き部４２ａは、幅狭部４２ｂと、幅狭部４２ｂより幅を大きく形成された幅広部４２ｃと、を有している。
【００３３】
図３に示すように、裏布４３の前端中央部には、略矩形状の切り欠き部４３ａが形成されている。切り欠き部４３ａは、後述する、取付部材５０の回動部５７の回動を許容するものである。
【００３４】
図２、３等に示すように、裏布４３の後端部の中央部分の下側には、略半円形状の収納用基布４４が重ね合わされ、後端中央部分以外の外周縁部が縫合されて、裏布４３との間の空間部分が、充電用電池６１を収納可能な電池収納部４５が形成されている。
【００３５】
図３、９等に示すように、切り欠き部４３ａには、取付部材５０が装着されている。取付部材５０は、図５〜９に示すように、つば４０に係着される保持部５９と、ＬＥＤライト６０が配設され保持部５９に対して回動可能に軸支される回動部５７と、を有している。取付部材５０は、図１、５等に示すように、つば４０に対応して、前側からみて上側に膨らむ円弧状となるように形成されている。
【００３６】
保持部５９は、合成樹脂製で、板状に形成される左右一対の側壁部５１、５２及び後壁部５３を有して、前方が開口した略コの字状の枠体に形成されている。側壁部５１、５２には、外側に突出するとともにつばの形状に対応した形状に湾曲し、芯材４１を上下方向において挟み込可能な上下一対の係着板５１ａ、５２ａがそれぞれ設けられている。
【００３７】
後壁部５３の左右の端部には、前後方向において、係着板５１ａ、５２ａとの間に隙間が設けられ、左右方向にそれぞれ突出する四角柱状の突出部５３ａが配設されている。突出部５３ａは、図９に示すように、切り欠き部４２ａの幅広部４２ｃと係合可能な形状に形成されている。
【００３８】
つまり、保持部５９の側壁部５１、５２と、後壁部５３と、突出部５３ａとで形成される外形形状が、芯材４１の切り欠き部４２ａに対応する形状に形成されていることになる。
【００３９】
図９に示すように、係着板５１ａ、５２ａと、保持部５９の側壁部５１、５２とで囲まれる部分に、芯材４１の幅狭部４２ｂ部分を嵌め込むとともに、切り欠き部４２ａの幅広部４２ｃに突出部５３ａを嵌め込んで、必要に応じて接着剤等を用いて、つば４０に、取付部材５０が取り付けられる。
【００４０】
側壁部５１、５２には、図６に示すように、左右方向に貫通する軸孔５４、５５が形成されている。軸孔５４、５５には、左右方向からみて、軸孔５４、５５の内周面側から側壁部５１、５２の外周面側に向かう有底溝として形成される凹部５４ａ、５５ａが、それぞれ四か所形成されている。
【００４１】
側壁部５１、５２の軸孔５４、５５の前側には、側壁部５１、５２間に架け渡されて形成された架け渡し部５６が配設されている。架け渡し部５６には、ストッパ５６ａが配設されている。ストッパ５６ａは、図５、６（ａ）に示すように、前側に臨む垂直面として形成され、後述する回動部５７のストッパ５７ｃと当接して、回動部５７の上側への回動を防止するものでる。
【００４２】
回動部５７は、合成樹脂製で、図７に示すように、内部に電線６５を配置可能な空間部分５７ａを有した略直方体状に形成され、ＬＥＤライト６０が四つ取り付けられ、図１の状態において前側に光を照射可能とされている。回動部５７の後側の左右の端部には、軸５８がそれぞれ突設され、保持部５９の軸孔５４、５５にそれぞれ嵌め込まれ、回動部５７が保持部５９に対して回動可能とされている。
【００４３】
各軸５８には、図５、７の状態において、前側に突出するとともに左右方向に沿って形成される凸部５８ａが配設されている。
【００４４】
軸５８には、左右方向に貫通する貫通孔５７ｂが配設され、空間部分５７ａから、貫通孔５７ｂ内を通ってＬＥＤライト６０から延びる図示しない電線を挿通可能とされている。
【００４５】
空間部分５７ａ及び貫通孔５７ｂ内にＬＥＤライト６０から延びる図示しない電線が配設され、後述するスイッチ６２、及び充電用電池６１と接続されている。
【００４６】
回動部５７の後部の上側には、図５の状態において、垂直面として形成され保持部５９のストッパ５６ａと当接可能なストッパ５７ｃが配設されている。本実施形態では、ストッパ５７ｃは、図５、７（ａ）に示すように、後側に臨む垂直面として形成されている。
【００４７】
つば４０の下面（裏側）には、ＬＥＤライト６０の点滅を操作するスイッチ６２が配設されている。本実施形態では、図２、３等に示すように、芯材４１に図示しない貫通孔を設け、当該貫通孔にスイッチ６２を配置、固定されている。
【００４８】
取付部材５０は、回動部５７が保持部５９に対して所定の傾斜角度となるように保持する角度保持手段７０を有している。
【００４９】
本実施形態では、角度保持手段７０は、凹部５４ａ、５５ａと、凹部５４ａ、５５ａと係合可能な凸部５８ａと、で構成されている。凹部５５ａは、図５の状態において、水平面に対して０度、１５度、４５度、９０度に形成されている。つまり、回動部５７は、つば４０に対して、０度、１５度、４５度、９０度の傾斜角度となるように設定されている。
【００５０】
電気回路の説明をする。充電用電池６１は、リチウムイオン電池が用いられ、電池収納部４５内に配置されている。
【００５１】
図１３（ａ）に示すように、充電用電池６１と、スイッチ６２とは電線６５を介して接続される。スイッチ６２からつば側のＬＥＤライト６０と、調整部材２３側のＬＥＤライト６３と、にそれぞれ接続されている。スイッチ６２と調整部材２３側のＬＥＤライト６３との間には、点滅回路６４が配設され、調整部材２３側のＬＥＤライト６３を点滅可能とされている。
【００５２】
スイッチ６２は、充電用電池６１の電源のＯＮ、ＯＦＦを切り替え可能とされるとともに、回路の切り替え可能とされている。
【００５３】
また、図３、１３（ｂ）等に示すように、充電アダプタ６７のプラグ６７ａをコンセント６８に差し込んで、充電用電池６１から延びるコネクタ６１ａとコネクタ６７ｂとを接続することで、充電用電池６１に充電することが可能となる。
【００５４】
次に、上述のように構成された帽子１０の作用について説明する。図１３（ａ）に示すように、電源ＯＦＦの状態から一回押すと、つば４０側のＬＥＤライト６０が点灯する、さらにもう一回押すと、つば４０側のＬＥＤライト６０が点灯したままで調整部材２３側のＬＥＤライト６３が点滅する。さらにさらにもう一回押すと、電源ＯＦＦの状態となる。
【００５５】
暗所における作業に使用する場合には、図１０に示すように、つば４０（保持部５９）に対して０度の状態から、作業ポイントに適切な角度を選択する。角度保持手段７０により、回動部５７は、つば４０に対して１５度、４５度、９０度の角度の状態で保持されるので、手にライト等を手に持たずに作業を行なうことができる。
【００５６】
また、夜間の工事現場等で使用する場合には、回動部５７をつば４０（保持部５９）に対して０度の状態とし、スイッチ６２を電源ＯＦＦ状態から２回押して、つば４０側のＬＥＤライト６０に加え調整部材２３側のＬＥＤライト６３を点滅させることで、走行する車両等に自己の存在を知らしめることができる。
【００５７】
また、夏季の気温の高い時期には、図１１に示すように、反転部材２８で、第一表面部２６を覆うように配置してメッシュレンゲ２２が露出するように使用し、冬季の気温が低い時期には、図１２に示すように、反転部材２８で、第二表面部２７を覆うように配置してメッシュレンゲ２２を覆うように使用することで、寒暖に応じて使用態様を変更することができる。
【００５８】
上記構成の帽子１０では、着用者の頭部を覆うクラウン２０と、少なくともクラウン２０の前部から延設されるつば４０と、つば４０に取り付けられるＬＥＤライト６０と、を備える帽子であって、ＬＥＤライト６０が、つば４０に対して、回動可能に取り付けられている。
【００５９】
これによれば、ＬＥＤライト６０を回動させることで、必要以上に頭を動かすことなく、暗所で作業をする場合に作業ポイントを適切に照らすことができる。
【００６０】
また、ＬＥＤライト６０は、取付部材５０を介してつば４０に取り付けられ、取付部材５０は、つば４０に係着される保持部５９と、ＬＥＤライト６０が配設され保持部５９に対して回動可能に軸支される回動部５７と、を有している。
【００６１】
これによれば、つば４０への取付部分と回動部分を分けることで、つば４０に直接ＬＥＤライト６０を取り付ける場合に比べて、取り付け作業性、ＬＥＤライト６０の回動性を向上させることができる。
【００６２】
また、着用者が装着した状態における前側からみて、つば４０が、上側に膨らむ円弧状となるように形成され、取付部材５０が、つば４０対応する形状に形成される構成としているので、つば４０部分の突出部分を抑制して、意匠性に優れる帽子とすることができる。
【００６３】
また、取付部材５０を、回動部５７が保持部５９に対して所定の傾斜角度となるように保持する角度保持手段７０を有する構成としているので、作業時に回動部５７が回動して、ＬＥＤライト６０の照射が作業ポイントからずれてしまうことを防止することができる。
【００６４】
また、保持部５９に、回動部５７が保持部５９に対して上側に回動することを防止するストッパ５６ａを配設しているので、作業時にＬＥＤライト６０を有する回動部５７が、つば４０に遮られて着用者が視認しにくく作業ポイントになりづらい上側に回動することを防止する。
【００６５】
また、クラウン２０の外表面の領域が、略同一の、第一表面部２６と、第二表面部２７とに区画され、第一表面部２６と、第二表面部２７との境界部分Ｘには、反転部材２８が延設され、反転部材２８は、第一表面部２６及び第二表面部２７に対応する形状とされるとともに、表面と裏面を有して第一表面部２６又は第二表面部２７を略全部を、反転することで覆い可能に形成され、表面は第一表面部２６と連設する第一面部２９とされ、裏面は第二表面部２７と連設する第二面部３０とされている。
【００６６】
これによれば、反転部材２８で、第一表面部２６、第二表面部２７のいずれかを選択して覆うことで、リバーシブル仕様とすることができる。
【００６７】
なお、本発明における、「帽子」とは、寒暑やほこり・落下物などから頭部を保護し、また、身なりを整えるものをいい、金属、合成樹脂製のヘルメット、安全帽等を含むものとする。
【００６８】
本発明の帽子は、上記構成に限定されるものではない。即ち、本発明の要旨を逸脱しない限り各種の設計変更等が可能である。
【００６９】
例えば、第一表面部２６と第一面部２９とを対応する色彩、模様とし、第二表面部２７と第二面部３０とを対応する色彩、模様とすることで、反転部材２８を反転させて、色彩、模様の異なる仕様とすることができる。
【符号の説明】
【００７０】
１０  帽子
２０  クラウン
２６  第一表面部
２７  第二表面部
２８  反転部材
２９  第一面部
３０  第二面部
４０  つば
５０  取付部材
５６ａ  ストッパ
５７  回動部
５９  保持部
６０  ＬＥＤライト
７０  角度保持手段
【図１】
0003199657.tif 000003
【図２】
0003199657.tif 000004
【図３】
0003199657.tif 000005
【図４】
0003199657.tif 000006
【図５】
0003199657.tif 000007
【図６】
0003199657.tif 000008
【図７】
0003199657.tif 000009
【図８】
0003199657.tif 000010
【図９】
0003199657.tif 000011
【図１０】
0003199657.tif 000012
【図１１】
0003199657.tif 000013
【図１２】
0003199657.tif 000014
【図１３】
0003199657.tif 000015